(57)【要約】【課題】防水板を用いた構造物入口の防水装置において，防水板を平時は排水溝の溝蓋として有効に活用できるようにして，防水板の平時における収納保管場所の確保を不要とする。【解決手段】構造物ＢＬの入口Ｉ側に開放した単一の溝状凹部Ｍａを有して該入口Ｉの相対向する左右両側壁面Ｗに沿設された左右一対の主支柱Ｍと，その左右一対の主支柱Ｍ側に各々開放した互いに逆向きの一対の溝状凹部Ｓａを有して，その両主支柱Ｍ間の床面Ｆ上に着脱可能に立設し得る補助支柱Ｓと，相隣なる２個の支柱の溝状凹部Ｍａ，Ｓａ；Ｓａ，Ｓａ間に左右両端部を嵌合支持し得る複数の防水板Ｔとを備え，それら防水板Ｔは，平時は構造物入口Ｉの周辺の排水溝１の溝蓋として機能すべく，該排水溝１の長手方向に沿って互いに縦列配置され且つ該排水溝１の開口部両側縁に各々係合載置されて床面と面一である。【選択図】    図１
2004162260.tif 000002
【特許請求の範囲】
【請求項１】
構造物入口の防水装置において，
構造物（ＢＬ）の入口（Ｉ）側に開放し鉛直方向に延びる単一の溝状凹部（Ｍａ）を各々有して該入口（Ｉ）の相対向する左右両側壁面（Ｗ）にそれぞれ沿設された左右一対の主支柱（Ｍ，Ｍ）と，
その左右一対の主支柱（Ｍ，Ｍ）側に各々開放し鉛直方向に延びる互いに逆向きの一対の溝状凹部（Ｓａ，Ｓａ）を有して，その両主支柱（Ｍ，Ｍ）間の床面（Ｆ）上に着脱可能に立設し得る少なくとも１個の補助支柱（Ｓ）と，
相隣なる２個の支柱（Ｍ，Ｓ；Ｓ，Ｓ）の溝状凹部（Ｍａ，Ｓａ；Ｓａ，Ｓａ）間に左右両端部を上方より抜差可能に嵌合支持し得る矩形状の複数の防水板（Ｔ）とを備え，
その複数の防水板（Ｔ）は，平時は構造物（ＢＬ）の入口（Ｉ）周辺の床面（Ｆ）に凹設される排水溝（１）の溝蓋として機能すべく，該排水溝（１）の長手方向に沿って互いに縦列配置され且つ該排水溝（１）の開口部両側縁に各々係合載置されて床面（Ｆ）と面一であることを特徴とする，構造物入口の防水装置。
【請求項２】
前記左右一対の主支柱（Ｍ，Ｍ）間の床面には，構造物入口（Ｉ）の横幅一杯に亘って延び内部に前記補助支柱（Ｓ）を収納可能な収納ボックス（Ｂ）を，該ボックス（Ｂ）の開閉蓋（Ｂｔ）が床面（Ｆ）と面一となるように埋設し，この収納ボックス（Ｂ）の底面には，前記補助支柱（Ｓ）を所定位置に位置決めし且つ起立支持するための支持手段（３，４）を設けたことを特徴とする，請求項１に記載の構造物入口の防水装置。
【請求項３】
前記収納ボックス（Ｂ）の底面には，各防水板（Ｔ）の下端部に当接してその当接部をシールするための底部パッキン（Ｐｂ）が設けられ，また各支柱（Ｍ，Ｓ）の溝状凹部（Ｍａ，Ｓａ）の一方の内側壁には，各防水板（Ｔ）の左右両端部に当接してその当接部をシールするための側部パッキン（Ｐｓ）が設けられることを特徴とする，請求項２に記載の構造物入口の防水装置。
【請求項４】
各支柱（Ｍ，Ｓ）の溝状凹部（Ｍａ，Ｓａ）の他方の内側壁には，各防水板（Ｔ）の左右両端部を対応する側部パッキン（Ｐｓ）を介して前記一方の内側壁に押圧する押圧手段（６）が設けられることを特徴とする，請求項３に記載の構造物入口の防水装置。
【請求項５】
構造物入口の防水装置において，
構造物（ＢＬ）の入口（Ｉ）側に開放し鉛直方向に延びる単一の溝状凹部（Ｍａ）を各々有して該入口（Ｉ）の相対向する左右両側壁面（Ｗ）にそれぞれ沿設された左右一対の主支柱（Ｍ，Ｍ）と，
その両支柱（Ｍ，Ｍ）の溝状凹部（Ｍａ，Ｍａ）間に左右両端部を上方より抜差可能に嵌合支持し得る長方形状の単一の防水板（Ｔ′）とを備え，
その防水板（Ｔ′）は，平時は構造物（ＢＬ）の入口（Ｉ）周辺の床面（Ｆ）に凹設される排水溝（１）の溝蓋として機能すべく，該排水溝（１）の開口部両側縁に各々係合載置されて床面（Ｆ）と面一であることを特徴とする，構造物入口の防水装置。
【請求項６】
前記排水溝（１）は，構造物（ＢＬ）の入口（Ｉ）前の床面（Ｆ）に該入口（Ｉ）を横切るように形成されることを特徴とする，請求項１〜５の何れかに記載の構造物入口の防水装置。
【発明の詳細な説明】
【０００１】
【発明の属する技術分野】
本発明は，各種ビル，地下鉄，地下街，地下道，地下駐車場等の構造物の入口の防水装置に関する。
【０００２】
【従来の技術】
近年，都市部等の一部地域における集中豪雨，洪水等に因り，ビル，地下鉄，地下街，地下道，地下駐車場等の構造物内にその入口から水が急激に流入，浸水して多大の被害を及ぼすケースが問題となっている。
【０００３】
このような構造物入口からの水の急激な流入に対しては，土嚢の積み上げ等の対策では間に合わない場合が多く，そこで上記構造物の入口に，これを横切るように防水板を取付けできるようにした防水装置が，例えば特許文献１に記載されるように既に提案されている。
【０００４】
【特許文献１】
特開平２００１−９８７９２号公報
【０００５】
【発明が解決しようとする課題】
ところが従来の上記防水板は，非常時しか使用しないものであったため，平時の収納保管場所の確保が問題であった。そして，この問題は，特に構造物の入口幅が広く多数の防水板が必要な場合には，一層大きくなる。
【０００６】
本発明は，斯かる事情に鑑みてなされたものにおいて，上記防水板を平時は排水溝の溝蓋に兼用できるようにして，従来の上記問題を解決した構造物入口の防水装置を提供することを目的としている。
【０００７】
【課題を解決するための手段】
上記目的を達成するために請求項１の発明は，構造物入口の防水装置において，構造物の入口側に開放し鉛直方向に延びる単一の溝状凹部を各々有して該入口の相対向する左右両側壁面にそれぞれ沿設された左右一対の主支柱と，その左右一対の主支柱側に各々開放し鉛直方向に延びる互いに逆向きの一対の溝状凹部を有して，その両主支柱間の床面上に着脱可能に立設し得る少なくとも１個の補助支柱と，相隣なる２個の支柱の溝状凹部間に左右両端部を上方より抜差可能に嵌合支持し得る矩形状の複数の防水板とを備え，その複数の防水板は，平時は構造物の入口周辺の床面に凹設される排水溝の溝蓋として機能すべく，該排水溝の長手方向に沿って互いに縦列配置され且つ該排水溝の開口部両側縁に各々係合載置されて床面と面一であることを特徴としている。
【０００８】
上記特徴によれば，構造物入口への水侵入の虞れがある非常時には，左右の主支柱間の床面上に補助支柱を立てると共に，排水溝より溝蓋を取り外し，その溝蓋，即ち防水板を相隣なる支柱の溝状凹部間に嵌合，支持させる。これにより，それら防水板（溝蓋）が構造物入口への水侵入を防止する。この場合，排水溝は，溝蓋が防水板として使用されることに伴い，必然的に該溝の開口部が開放（従ってその有効開口面積が拡大）されることになるため，排水溝の排水効率を自動的に高めることができ，構造物入口へ向かう水量の低減を図る上で有効である。またそれら防水板は，平時は構造物の入口周辺の床面に配した排水溝の溝蓋として有効に活用できるため，該防水板の平時における収納保管場所の確保が不要となり，特に構造物の入口幅が広く多数の防水板が必要な場合には，一層有利である。
【０００９】
また請求項２の発明は，請求項１の上記特徴に加えて，前記左右一対の主支柱間の床面には，構造物入口の横幅一杯に亘って延び内部に前記補助支柱を収納可能な収納ボックスを，該ボックスの開閉蓋が床面と面一となるように埋設し，この収納ボックスの底面には，前記補助支柱を所定位置に位置決めし且つ起立支持するための支持手段を設けたことを特徴とする。この特徴によれば，平時は床面下の収納ボックス内に補助支柱を収納しておくことにより，補助支柱の収納保管場所を構造物の入口周辺に特別に確保する必要はなくなり，しかも非常時には収納ボックスより補助支柱を取出し，そのボックス底面上の定位置に迅速に起立支持させることができて，作業性が頗る良好である。
【００１０】
また請求項３の発明は，請求項２の上記特徴に加えて，前記収納ボックスの底面には，各防水板の下端部に当接してその当接部をシールするための底部パッキンが設けられ，また各支柱の溝状凹部一方の内側壁には，各防水板の左右両端部に当接してその当接部をシールするための側部パッキンが設けられることを特徴とし，この特徴によれば，防水板の左右端部と各支柱との間や，防水板の下端部と床面（ボックス底面）と間からの漏水防止に効果的である。
【００１１】
また請求項４の発明は，請求項３の上記特徴に加えて，各支柱の溝状凹部の他方の内側壁には，各防水板の左右両端部を対応する側部パッキンを介して前記一方の内側壁に押圧する押圧手段が設けられることを特徴とし，この特徴によれば，側部パッキンによるシール性能が高められ，防水板の左右端部と各支柱との間の漏水防止に一層効果的であり，また防水板の各支柱への取付強度も向上し，水の流動圧で防水板が外れるのを効果的に防止できる。
【００１２】
また請求項５の発明は，構造物入口の防水装置において，構造物の入口側に開放し鉛直方向に延びる単一の溝状凹部を各々有して該入口の相対向する左右両側壁面にそれぞれ沿設された左右一対の主支柱と，その両支柱の溝状凹部間に左右両端を上方より抜差可能に嵌合支持し得る長方形状の単一の防水板とを備え，その防水板は，平時は構造物の入口周辺の床面に凹設される排水溝の溝蓋として機能すべく，該排水溝の開口部両側縁に各々係合載置されて床面と面一であることを特徴とし，この特徴によれば，構造物入口への水侵入の虞れがある非常時には，排水溝より溝蓋を取り外し，その溝蓋，即ち防水板を左右の主支柱の溝状凹部間に嵌合，支持させ，これにより，その防水板（溝蓋）が構造物入口への水侵入を防止する。この場合，排水溝は，溝蓋が防水板として使用されることに伴い，必然的に該溝の開口部が開放されることになるため，排水溝の排水効率を自動的に高めることができ，構造物入口へ向かう水量の低減を図る上で有効である。またそれら防水板は，平時は構造物の入口周辺の床面に配した排水溝の溝蓋として有効に活用できるため，該防水板の平時における収納保管場所の確保が不要となる。さらに補助支柱を特別に立てる必要がないため，それだけ装置の構造が簡素化されコスト節減が図られると共に，溝蓋から防水板への切換え作業も簡便且つ迅速化する。
【００１３】
また請求項６の発明は，請求項１〜５の何れかの上記特徴に加えて，前記排水溝は，構造物の入口前の床面に該入口を横切るように形成されることを特徴とし，この特徴によれば，排水溝と防水板立設位置とが直近となるため，溝蓋を取り外して防水板を立てる際の作業能率が一層向上する。
【００１４】
【発明の実施の形態】
本発明の実施の形態を，添付図面に例示した本発明の実施例に基づいて以下に具体的に説明する。
【００１５】
添付図面において，図１〜図９は本発明の第１実施例を示すものであって，図１は，防水装置の防水板取付状態を示す構造物入口の縦断面図，図２は図１の２−２線拡大断面図，図３は図２の３−３線拡大断面図，図４は図１の４−４線拡大断面図，図５は図４の５−５線拡大断面図，図６は図４の６−６線拡大断面図，図７は補助支柱の単体斜視図，図８は，前記防水装置の防水板格納状態を示す図４対応図，図９は構造物入口の床面の斜視図である。また図１０は，第２実施例を示す図９対応図，図１１は，第３実施例を示す図１対応図である。
【００１６】
先ず，第１実施例を示す図１〜図９において，構造物としてのビルＢＬの入口Ｉには，本発明の防水装置Ａが設けられ，集中豪雨，洪水等の非常時に外部から入口Ｉを通してビルＢＬ内に水が流入するのを防止できるようになっている。尚，この図１は，上記非常時に対応すべく防水装置Ａを組み立てた状態を示しているが，該防水装置Ａは，平時は後述するように入口Ｉにおける人等の通行の妨げとならないように格納されている。
【００１７】
また前記入口Ｉの前の床面Ｆには，該入口Ｉを横切る方向に延びる排水溝１が凹設されており，該溝１は，図示しない外部の排水路に通じている。この排水溝１は，その長手方向に縦列配置されて該溝１の開口部を覆う複数の溝蓋Ｔを有しており，これら溝蓋Ｔは，その各々の両側縁が該溝１の開口部の左右両側縁に各々係合載置される。その各溝蓋Ｔは，扁平な長方形状をなしており，排水溝１への取付状態で床面Ｆと同一レベルにあって，床面Ｆの一部を構成している。而してこの溝蓋Ｔが，前記防水装置Ａの主たる構成要素である防水板を構成する。尚，上記溝蓋Ｔは，これが上記のように前記入口Ｉの前に配設されていても，その周辺の床面Ｆと同様の床仕上げ材，例えば長尺シートやタイル等を貼ることが可能なため，排水溝１の存在を目立たせることはなく，意匠的に優れたものとなっている。
【００１８】
ところで前記溝蓋Ｔは，これを防水板に兼用できるようにするために，本実施例では蓋自体に排水用開口部が形成されていない。その代わりに，排水溝１の開口部の左右両側縁に配設されて溝蓋Ｔの左右両側端縁をそれぞれ載置させる左右一対の受け枠８に排水用開口部が形成される。即ち，図示例の受け枠８は，排水溝１の開口部の左右両側縁にこれを縁取るように固定される横断面Ｌ字状の受け枠本体８ａと，該本体８ａ上に支持脚８ｂを介して支持されて溝蓋Ｔの左右両側端縁と直接係合する横断面Ｌ字状の載置部８ｃとを備えており，該載置部８ｃと受け枠本体８ａとの間には，外端が床面Ｆに開口し且つ内端が溝蓋Ｔ直下の排水溝１内に開口する排水用開口部９が形成される。尚，図示例では，この排水用開口部９の上半部が，平行に並ぶ複数の帯板８ｄによって複数条のスリット孔９ｓに区画されており，該複数の帯板８ｄは，前記支持部８ｃと受け枠本体８ａとの間に亘って等間隔で配設，固定される。
【００１９】
前記ビルＢＬの入口Ｉの左右両側の壁体Ｗには，各々鉛直方向に延びる平断面コ字状の左右一対の主支柱Ｍ，Ｍが，それらの開放面を相対向させるようにして一体的に沿設されている。而して主支柱Ｍは，ビルＢＬの入口Ｉ側に開放し鉛直方向に延びる単一の溝状凹部Ｍａを有する。また，その主支柱Ｍの上端は上方に開口しており，また主支柱Ｍのビル内方側の側壁もビルＢＬ内空間に露出している。尚，図３において，符号１２は，主支柱Ｍの前記壁体Ｗへの結合強度を高めるためのアンカである。
【００２０】
その左右一対の主支柱Ｍ間の床面Ｆには，少なくとも１個（図示例では２個）の平断面Ｈ字状の補助支柱Ｓが，その各々の２つの開放面を左右の主支柱Ｍ，Ｍ側に向かせるようにして着脱可能に立設される。而して補助支柱Ｓは，左右一対の主支柱Ｍ，Ｍ側に各々開放し鉛直方向に延びる互いに逆向きの一対の溝状凹部Ｓａ，Ｓａを有する。
【００２１】
そして，相隣なる２個の支柱Ｍ，Ｓ；Ｓ，Ｓ；Ｓ，Ｍ間には，複数の前記防水板Ｔ・・が，その各々の防水板Ｔの左右両端部を対応する支柱Ｍ，Ｓの溝状凹部Ｍａ，Ｓａに上方より抜差可能に挿入させるようにして嵌合，支持される。
【００２２】
前記左右一対の主支柱Ｍ，Ｍ間の床面には，ビルＢＬの入口Ｉの横幅一杯に亘って延び内部に前記補助支柱Ｓを収納可能な収納ボックスＢが一体的に埋設される。この収納ボックスＢは，床面Ｆ下のボックス本体Ｂｍと，そのボックス本体Ｂｍの開放上面を開閉すべく該本体Ｂｍの上端に回動可能にヒンジ連結２された開閉蓋Ｂｔとより構成され，該蓋Ｂｔは，閉じ位置にあるときに床面Ｆと面一となって床面Ｆの一部を構成する。
【００２３】
そのボックス本体Ｂｍの底壁には，補助支柱Ｓを所定位置に位置決めし且つ起立支持するための支持手段が設けられる。この支持手段として図示例では，ボックス本体Ｂｍ直下の床面下に植設されて該本体Ｂｍの底壁より上方に若干突出するスタッドボルト３と，これに螺合されるナット４とより構成される。このスタッドボルト３に，補助支柱Ｓの下端部に連設した外向きフランジＳｆの支持孔５を挿通させた後，前記ナット４をスタッドボルト３に螺合させてフランジＳｆを押さえ込むことにより，補助支柱Ｓを定位置に位置決め固定することが可能となる。
【００２４】
前記ボックス本体Ｂｍの底面には，各防水板Ｔの下端部に当接してその当接部をシールするための底部パッキンＰｂが一体的に接合され，この底部パッキンＰｂは，補助支柱Ｓに対応する位置で分断される。またこの底部パッキンＰｂの主支柱Ｍ側の端部は，該主支柱Ｍの下端部の溝状凹部Ｍａ内に張り出すように延びている。
【００２５】
また各支柱Ｍ，Ｓの溝状凹部Ｍａ，Ｓａの何れか一方（図示例では表側，即ちビル外側）の内側壁には，各防水板Ｔの左右両端部に当接してその当接部をシールするための側部パッキンＰｓが一体的に接合され，更に各補助支柱Ｓの底板上面にも補助底部パッキンＰｂ′が一体的に接合され，この補助底部パッキンＰｂ′は，該補助支柱Ｓのセット状態で前記底部パッキンＰｂと面一で連続するように形成される。
【００２６】
また各支柱Ｍ，Ｓの溝状凹部Ｍａ，Ｓａの何れか他方（図示例では裏側，即ちビル内側）の内側壁には，各防水板Ｔの左右両端部を対応する側部パッキンＰｓを介して各支柱Ｍ，Ｓの溝状凹部Ｍａ，Ｓａの前記一方の内側壁に押圧する押圧手段が設けられる。この押圧手段として図示例では，前記他方（図示例では裏側）の内側壁に螺合された少なくとも１個の押圧ボルト６が用いられ，該ボルト６の先部を対応する防水板Ｔの左右端部に直接圧接させるようにする。
【００２７】
次に第１実施例の作用を説明する。平時においてビルＢＬの入口Ｉの前にある排水溝１は，その開口部が複数の溝蓋Ｔで閉じられており，該溝蓋Ｔは，床面Ｆと面一となっていて，床面Ｆの一部を構成する。
【００２８】
また集中豪雨，洪水等に因りビル入口Ｉへ多量の水が急激に侵入する虞れがある非常時には，左右の主支柱Ｍ，Ｍ間の床面Ｆ上にある収納ボックスＢの開閉蓋Ｂｔを開けて，中に収納されていた補助支柱Ｓを該ボックスＢの底面の定位置に立て，そして排水溝１より溝蓋Ｔを取り外し，その溝蓋Ｔ，即ち防水板を相隣なる支柱Ｍ，Ｓ；Ｓ，Ｓの溝状凹部Ｍａ，Ｓａ；Ｓａ，Ｓａ間に嵌合，支持させ，更に押圧ボルト６を締め込んで各防水板Ｔを対応する支柱Ｍ，Ｓに固定する。かくして，ビル入口Ｉを堰止めるように配列された防水板Ｔ（溝蓋）がビル入口Ｉへの水侵入を防止する。
【００２９】
この場合において，排水溝１は，溝蓋Ｔが防水板として使用されることに伴い，必然的に該溝１の開口部が開放（従ってその有効開口面積が拡大）されることになるため，排水溝１の排水効率を自動的に高め，ビル入口Ｉへ向かう水量の低減を図る上で有効である。しかもそれら防水板Ｔは，平時はビル入口Ｉ近くの床面Ｆに配した排水溝１の溝蓋として有効に活用できるため，該防水板Ｔの平時における収納保管場所の確保が不要となり，特にビル入口の幅が広く多数の防水板Ｔが必要な場合には，一層有利である。
【００３０】
ところで第１実施例では，溝蓋Ｔを防水板に兼用できるようにするために，蓋自体に排水用開口部が形成されず，その代わりに，排水溝１の開口部の左右両側縁に配設されて溝蓋Ｔの左右両側端縁をそれぞれ載置させる左右一対の受け枠８に排水用開口部９が形成されるが，図１０に示した第２実施例では，第１実施例の排水用開口部９に代えて（或いは加えて），溝蓋Ｔ自体に多数の小孔よりなる排水用開口部９′が等ピッチで形成される。
【００３１】
この第２実施例の溝蓋Ｔでは，その蓋本体Ｔｍの裏面にスライド可能な開閉板１０が摺動可能な密接状態で支持されており，この開閉板１０には，多数の小孔よりなる前記排水用開口部９′と等ピッチの多数の小孔１０ａが形成される。而してこの開閉板１０は，その小孔１０ａと前記排水用開口部９′とが合致する開放位置と，合致しない閉じ位置との間をスライドするものであり，特に溝蓋Ｔが本来の溝蓋として使用されるときは開放位置に置かれ，また防水板として使用されるときは閉じ位置に置かれる。
【００３２】
而してこの第２実施例でも，第１実施例と同様の効果が期待できる。
【００３３】
また図１１には，本発明の第３実施例が示される。この実施例では，構造物としてのビルＢＬの入口Ｉの幅が比較的狭いような場合に，単一の溝蓋Ｔ′だけを防水板に兼用し，その防水板の左右両端部を，入口Ｉの左右一対の支柱Ｍの溝状凹部Ｍａ間に嵌合支持させるようにしている。この実施例では，先の実施例の補助支柱Ｓが省略可能となり，即ち，溝蓋Ｔ′を防水板として用いる場合に補助支柱Ｓを特別に立てる必要がないため，それだけ防水装置Ａの構造が簡素化されコスト節減が図られると共に，溝蓋Ｔ′から防水板への切換え作業も簡便且つ迅速に行うことができる。尚，この第３実施例では，補助支柱Ｓが不要であるため，収納ボックスＢを省略してよく，その場合には，床面Ｆに，防水板（溝蓋Ｔ′）の下端を嵌合させる比較的幅狭の溝状凹部を形成して，その溝状凹部の底面に前記底部パッキンＰｂと同様のパッキンを接合させるようにする。
【００３４】
以上，本発明の実施例について説明したが，本発明はその実施例に限定されることなく，本発明の範囲内で種々の実施例が可能である。例えば，前記実施例では，構造物としてビルを示したが，本発明は，その他の構造物，例えば地下街，地下道，地下駐車場等の入口にも実施可能である。
【００３５】
また前記実施例では，排水溝１を構造物の入口Ｉを横切る方向に配置したものを示したが，排水溝１は，入口Ｉの周辺（近く）であれば，特に図示例の位置に限定されず，例えば，図示例の延び方向と直交する方向に延びるように配置してもよい。
【００３６】
また前記実施例において，溝蓋Ｔの通常の使用状態における排水をスムーズに行わせるために，第１実施例では受け枠８に排水用開口部９を設け，また第２実施例では溝蓋Ｔ自体に開閉可能な排水用開口部９ａを設けたものを示したが，本発明では，そのような排水用開口部を省略することも可能であり，その場合は，溝蓋Ｔと受け枠８との隙間から排水させるようにする。
【００３７】
【発明の効果】
以上のように各請求項の発明によれば，構造物入口への水侵入の虞れがある非常時には，排水溝より溝蓋を取り外して，これを該入口に対する防水板として使用できるようにしたので，構造物入口への水侵入防止対策を迅速にとることができ，また排水溝は，溝蓋が防水板として使用されることで必然的に該溝の開口部が開放されるため，排水溝の排水効率を自動的に高めることができて，構造物入口へ向かう水量の低減を図る上で有効である。また防水板は，平時は排水溝の溝蓋として有効に活用できるため，該防水板の平時における収納保管場所の確保が不要となる。
【００３８】
また特に請求項２の発明によれば，平時は床面下の収納ボックス内に，防水板を立てるための補助支柱を収納しておくことができるので，補助支柱の収納保管場所を構造物入口周辺に特別に確保する必要はなくなり，しかも非常時には収納ボックスより補助支柱を取出し，支持手段を用いて補助支柱をボックス底面上の定位置に迅速に起立支持させることが可能なため，作業性が頗る良好である。
【００３９】
また特に請求項３の発明によれば，収納ボックスの底面には，各防水板の下端部に当接してその当接部をシールするための底部パッキンが設けられ，また各支柱の溝状凹部の一方の内側壁には，各防水板の左右両端部に当接してその当接部をシールするための側部パッキンが設けられるので，防水板の左右端部と各支柱との間や，防水板の下端部と床面（ボックス底面）と間からの漏水防止に効果的である。
【００４０】
また特に請求項４の発明によれば，各支柱の溝状凹部の他方の内側壁には，各防水板の左右両端部を対応する側部パッキンを介して前記一方の内側壁に押圧する押圧手段が設けられるので，側部パッキンによるシール性能が高められ，防水板の左右端部と各支柱との間の漏水防止に一層効果的であり，また防水板の各支柱への取付強度も向上する。
【００４１】
また特に請求項５の発明によれば，防水板が単一で済み，補助支柱を特別に立てる必要がないため，それだけ装置の構造が簡素化されコスト節減が図られると共に，溝蓋から防水板への切換え作業も簡便且つ迅速化する。
【００４２】
また特に請求項６の発明によれば，排水溝は，構造物入口の前の床面に該入口を横切るように形成されるので，排水溝と防水板立設位置とが直近となり，溝蓋を取り外して防水板を立てる際の作業能率が一層向上する。
【図面の簡単な説明】
【図１】本発明の第１実施例に係る防水装置の防水板取付状態を示す構造物入口の縦断面図
【図２】図１の２−２線拡大断面図
【図３】図２の３−３線拡大断面図
【図４】図１の４−４線拡大断面図
【図５】図４の５−５線拡大断面図
【図６】図４の６−６線拡大断面図
【図７】補助支柱の単体斜視図
【図８】前記防水装置の防水板格納状態を示す図４対応図
【図９】構造物入口の床面の斜視図
【図１０】第２実施例を示す図９対応図
【図１１】第３実施例を示す図１対応図
【符号の説明】
Ａ・・・防水装置
ＢＬ・・ビル（構造物）
Ｂ・・・収納ボックス
Ｂｔ・・開閉蓋
Ｉ・・・構造物入口
Ｆ・・・床面
Ｍ・・・主支柱
Ｍａ・・溝状凹部
Ｐｂ・・底部パッキン
Ｐｓ・・側部パッキン
Ｓ・・・補助支柱
Ｓａ・・溝状凹部
Ｔ・・・防水板
Ｔ′・・防水板
１・・・排水溝
３・・・スタッドボルト（支持手段）
４・・・ナット（支持手段）
６・・・押圧ボルト（押圧手段）
【図１】
2004162260.tif 000003
【図２】
2004162260.tif 000004
【図３】
2004162260.tif 000005
【図４】
2004162260.tif 000006
【図５】
2004162260.tif 000007
【図６】
2004162260.tif 000008
【図７】
2004162260.tif 000009
【図８】
2004162260.tif 000010
【図９】
2004162260.tif 000011
【図１０】
2004162260.tif 000012
【図１１】
2004162260.tif 000013